(57)【要約】【課題】  足置き台上の足置きプレートに足を置き、固定バンドで足を固定するという２つの動作が必要で煩雑である。また、足置き台のつま先部分付近に空間が多く足の動きとボードの動きとの一体感を得るという点でさらに改善すべき余地があった。さらに、足置きプレートが別部品であり、コストが上がるという課題があった。【解決手段】  発泡材の周囲にプラスチック等の硬質材を被せた水上歩行用具のボード部の構造において、ボード中間部に足支持部を設ける。上記足支持部の前端にボード部に固定する嵌合部を設ける。ボード部の足置き台に対向する位置につま先支持部を設ける。また、つま先支持部がつま先を覆うように樹脂で成型され、足支持部がボード部から着脱可能である構造とした。【選択図】図１
2008155900.tif 000002
【特許請求の範囲】
【発明の詳細な説明】
【技術分野】
【０００１】  この発明はスキーのように足に履いて水上を自力で歩行、又は滑ることができる水上歩行具に関する。
【背景技術】
【０００２】  従来の水上歩行具はウレタンフォーム等の発泡材からなるボードで、その発泡材の周囲をプラスチック等の硬質材で被せたボード部、又は気体を封入したプラスチック等の硬質材からなるボード部（以下ボード部という）の中間部に足を入れる開口部を設けた構造が知られている。【０００３】  このボードの構造は、ボードを前部、中間部、後部に分け、あらかじめ型で成型した発泡材の組合せとし、それらを一体に接合する構造である。さらに、中間部は中央に足置き台を設け足置き台の上には足置きプレートを設置し、足置きプレート側面には固定バンドがあり遊技者の足首を固定することができるようになっている。【０００４】
【特許文献１】特開２００２−１４５１８０
【発明の開示】
【発明が解決しようとする課題】
【０００５】  しかしながら、かかる構造では足置き台上の足置きプレートに足を置き、固定バンドで足を固定するという２つの動作が必要で煩雑である。また、足置き台のつま先部分付近に空間が多く足の動きとボードの動きとの一体感を得るという点でさらに改善すべき余地があった。さらに、足置きプレートが別部品であり、コストが上がるという課題があった。
【課題を解決するための手段】
【０００６】  この発明は前記課題を解決するために、発泡材の周囲にプラスチック等の硬質材を被せた水上歩行用具のボード部の構造において、ボード中間部に足支持部を設ける構造とした。【０００７】  上記足支持部の前端に、ボード部に固定する嵌合部を設ける構造とした。【０００８】  上記足支持部に、ボード部の足置き台に対向する位置につま先支持部を設ける構造とした。【０００９】  上記つま先支持部がつま先を覆うように樹脂で成型されている構造とした。【００１０】  上記足支持部がボード部から着脱可能である構造とした。
【発明の効果】
【００１１】    この水上歩行具は上記構造としたので、足置き台上の足置きプレートに足を置き、固定バンドで足を固定するという２つの動作の煩雑さが解消できる。また、つま先支持部につま先が適度に固定されることによりボードと足の一体感を得られ操作性が向上する。さらにガイド面を設けることにより足支持部材１を着脱し易くなるとともに、固定バンドがいらないためコストが下がるという優れた効果を奏する。
【発明を実施するための最良の形態】
【００１２】  図１から図４には本発明の実施の形態を示す水上歩行具のボード部が示されている。図１は本発明の実施の形態を示す水上歩行具の全体を示す斜視図である。図２は図１のＡ−Ａ断面図である。図３は図１の水上歩行具ボード中間部に設ける足支持部材を示す斜視図である。図４は図３のつま先支持部のボード進行方向と直行する方向の断面図である。【００１３】  図１、図２に示すように本発明に関わる水上歩行用具は、それぞれ長さの異なるは右ボード前部５１と左ボード前部５２が嵌合されてボード部前部５を構成する。【００１４】  ボード中間部は１部品からなり、ボード中間部６のほぼ中央に足置き台３を設けるとともに、足を支持する足支持部材１を着脱可能に設ける。ボード後部８はそれぞれ長さの異なる右ボード後部８１と左ボード後部８２を嵌合して構成する。【００１５】  ボード前部５には中空部５３、ボード後部８には中空部８３を設ける。中空部５３、中空部８３にはビニール又はゴム性の浮き袋（図示ぜず）を設け浮力を保持できるようになっている。【００１６】  ９はキールである。キール９はボードの直進性、横方向の安定性を考慮したものである。キール９は硬質樹脂を使用し断面がＴ字状になっておりボード前部、ボード中央部、ボード後部の底面に取り付けられる。【００１７】  図３、図４は足支持部材１を示す斜視図であり、２点鎖線はボード中間部の底面に設ける足置き台上の足の位置を示している。ボード中間部６の足支持部材１はボード部の足置き台３に対向する位置につま先支持部４を設ける。つま先支持部４はつま先の形状に沿って少し大きめになるように抉られていて、つま先を引っかけて支持し足を固定する形状になっている。【００１８】  足支持部材１は全体を樹脂で一体に成型され、側面にはボードの開口部７の長手方向に沿うようにガイド面１１を設ける。ボードの開口部７の前端部に対向する位置に嵌合部２を設ける。【００１９】  足支持部材１はボード部から着脱可能な構造となっている。足支持部材１をボードに装着する場合には、開口部７の前端部に足支持部材１の嵌合部２を挿入し、ガイド面１１を開口部の長手方向内側に沿って回動させていく。【００２０】  このボード部を製造する場合には、まず右ボード前部５１、左ボード前部５２を成形型を使って射出成形する。右ボード後部８１、左ボード後部８２を同様に成形する。さらに中央部６を成形する。それらの接合面に接着剤を塗布した状態でボード全体を保持できる治具に固定する。ボード本体が形成された後、キール５を接合し足支持部材２を開口部に挿入し嵌合部２で嵌合させる。足支持部材１は別に成型し後で装着する。【００２１】  図５、図６は本発明の第２の実施例を示す斜視図であり、２点鎖線はボード中間部の底面に設ける足置き台上の足の位置を示している。ボード中間部６の足支持部材１はボード部の足置き台３に対向する位置につま先支持部４を設ける。つま先支持部４はつま先の形状に沿って少し大きめになるように抉られていて、つま先を引っかけて支持し足を固定する形状になっている。ボードの開口部７の前端部に沿うように、ボード進行方向に後方に行くにしたがって傾斜が大きくなるように嵌合面２２を設ける。【００２２】  足支持��材１はボード部から着脱可能な構造となっている。足支持部材１をボードに装着する場合には、開口部７の前端部に足支持部材１の嵌合面２を挿入する。【００２３】  図７は本発明の第３の実施例を示す斜視図であり、２点鎖線はボード中間部の底面に設ける足置き台上の足の位置を示している。ボード中間部６の足支持部材１はボード部の足置き台３に対向する位置につま先支持部４を設ける。つま先支持部４はつま先の形状に沿って少し大きめになるように抉られていて、つま先を引っかけて支持し足を固定する形状になっている。ボードの開口部７の前端部に対向する位置に嵌合部２を設ける。
【図面の簡単な説明】
【００２４】
【図１】本発明の実施の形態を示す水上歩行具用ボードの斜視図である。
【図２】図１に示す水上歩行具用ボードのＡ−Ａ断面図である。
【図３】図１に示す水上歩行具用ボードの足支持部材１の斜視図である。
【図４】図３に示す足支持部材１のボード進行方向と直行する方向の断面図である。
【図５】図３に示す足支持部材１の第２実施例を示すＡ−Ａ断面図である。
【図６】図３に示す足支持部材１の第２実施例を示す斜視図である。
【図７】図３に示す足支持部材１の第３実施例を示す斜視図である。
【符号の説明】
【００２５】１…足支持部材
２…嵌合部
３…足置き台
４…つま先支持部
５…ボード前部
６…ボード中間部
７…開口部
８…ボード後部
９…キール
【図１】
2008155900.tif 000003
【図２】
2008155900.tif 000004
【図３】
2008155900.tif 000005
【図４】
2008155900.tif 000006
【図５】
2008155900.tif 000007
【図６】
2008155900.tif 000008
【図７】
2008155900.tif 000009
【手続補正書】
【提出日】平成19年2月28日(2007.2.28)
【手続補正１】
【補正対象書類名】特許請求の範囲
【補正対象項目名】全文
【補正方法】追加
【補正の内容】
【特許請求の範囲】
【請求項１】
発泡材の周囲にプラスチック等の硬質材を被せた水上歩行用具のボード部の構造において、ボード中間部に足支持部を設けたことを特徴とする水上歩行具。
【請求項２】
上記足支持部の前端にボード部に固定する嵌合部を設けたことを特徴とする請求項１に記載の水上歩行具。
【請求項３】
上記足支持部にボード部の足置き台に対向する位置につま先支持部を設けたことを特徴とする請求項１、または請求項２に記載の水上歩行具。
【請求項４】
上記つま先支持部がつま先を覆うように樹脂で成型されていることを特徴とする請求項１、または請求項２、または請求項３に記載の水上歩行具。
【請求項５】
上記足支持部がボード部から着脱可能であることを特徴とする上記請求項１、または請求項２、または請求項３、または請求項４に記載の水上歩行具。